(57)【特許請求の範囲】
【請求項１】
紙葉類をその間に綴じ込むための一対の綴じ片と、基端が何れか一方の綴じ片に支持され先端側が他方の綴じ片に設けた挿通部に挿し通される綴じ足と、前記他方の綴じ片に付帯して設けられ綴じ足の先端側をその一部に挿し通して当該綴じ足を折り曲げた状態に係止する綴じ足係止部とを具備してなるものにおいて、
前記綴じ足係止部を、前記他方の綴じ片に固定され一部に綴じ足を挿し通すための綴じ足引出し開口を形成したベースと、このベースにスライド可能に付帯して前記綴じ足引出し開口を開閉するスライダとから構成するとともに、前記ベースの綴じ足引出し開口の開口縁となるべき部位を当該ベースの綴じ片に対する添接面よりも突出させ、この突出部を他方の綴じ片の挿通部内に進入させた状態で当該ベースを綴じ片に固定していることを特徴とするファイル。
【請求項２】
綴じ足引出し開口の入口に、綴じ片の法線方向に対して角度をなす斜面を形成している請求項１記載のファイル。
【請求項３】
綴じ足引出し開口の内周が、入口から内部に向かって漸次開口面積を小さくする形状をなしている請求項１又は２記載のファイル。
【請求項４】
綴じ足引出し開口の内周が、入口から内部に向かって滑らかに湾曲する形状をなしている請求項２又は３記載のファイル。
【請求項５】
綴じ足引出し開口の出口に、綴じ片の法線方向に対して角度をなす斜面を形成している請求項１〜４記載のファイル。
【請求項６】
綴じ足引出し開口の内周が、内部から出口に向かって漸次開口面積を大きくする形状をなしている請求項１〜５記載のファイル。
【請求項７】
綴じ足引出し開口の内周が、内部から出口に向かって滑らかに湾曲する形状をなしている請求項５又は６記載のファイル。
【請求項８】
突出部が、挿通部を貫通して綴じ片の背面に突出している請求項１〜７記載のファイル。
【請求項９】
ベースの添接面に係合爪を突出して設けるとともに、他方の綴じ片の対応部位に係合孔を設け、係合爪を係合孔に挿入するとともに添接面を綴じ片に添接させた状態から、ベースを綴じ片に対してスライドさせることによって、突出部を綴じ足引出し開口に進入させ、同時に係合爪を綴じ片の背面の所定箇所に設けた凹部に係合させるようにしている請求項１〜８記載のファイル。
【請求項１０】
係合爪を一対に設け、これらを、綴じ片の各対応位置にそれぞれ設けた凹部に係合させるようにしたものであって、これらの係合位置を、突出部と綴じ足引出し開口との係わり合い位置の両側に設定している請求項９記載のファイル。
【請求項１１】
係合時のスライド方向とは逆方向のスライド操作力が加えられた際に、一方の係合爪は凹部に係合した状態を維持し、他方の係合爪は凹部から離脱する動作を惹起するように構成されている請求項１０記載のファイル。
【請求項１２】
綴じ足係止部の全体が樹脂により構成されている請求項１〜１０記載のファイル。
【発明の詳細な説明】
【０００１】
【発明の属する技術分野】
本発明は、使い勝手に優れ、耐久性も向上し、分別廃棄も適切に行い得るようにしたファイルに関するものである。
【０００２】
【従来の技術】
ファイルの種類の一つに、表表紙の一部をなす綴じ片と裏表紙の一部をなす綴じ片とを対向させてその間に紙葉類を綴じ込めるように構成し、基端を裏表紙側の綴じ片に支持させ先端側を表表紙側の綴じ片に設けた挿通孔に挿し通すようにした綴じ足と、前記表表紙側の綴じ片に付帯して設けられ前記挿通孔を通過した綴じ足を引き続きその一部に挿し通して当該綴じ足を折り曲げた状態に係止する綴じ足係止部とを具備してなるものが知られている。
【０００３】
かかる綴じ足係止部は、前記表表紙側の綴じ片に固定され一部に綴じ足を挿し通すための綴じ足引出し開口を形成したベースと、このベースにスライド可能に付帯して前記綴じ足引出し開口を開閉するスライダとを備え、このスライダにより綴じ足引出し開口を閉止したときに綴じ足を係止し、綴じ足引出し開口を開成したときに綴じ足を開放するように構成されている。
【０００４】
【発明が解決しようとする課題】
ところで、ベース側の綴じ足引出し開口は、当該ベースが添接される表表紙側の綴じ片の挿通孔にほぼ重合する位置にあって略同一形状をなしているのが通例である。一方、紙葉類を綴じる際は、裏表紙の上に綴じ足に挿し通した状態で紙葉類をセットし、しかる後、この紙葉類を通過した綴じ足を折り曲げてその先端を表表紙側の綴じ片の挿通孔に挿し通す必要がある。しかるに、大抵の場合、綴じ足は綴じ片の挿通孔に対して斜め方向から、換言すれば綴じ片の法線方向に対してある角度を持った方向から当該挿通孔に挿通することになる。このため、綴じ足がその挿通孔の内周に擦れて通りにくくなり、使い勝手が悪くなるばかりか、このような事態が繰り返されることにより、ファイルの早期損傷や早期破損を招き易いものとなっている。特に、綴じ足には、閉止時にベースとの間で凹凸係合を構成するようなリブが長手方向に沿って所定ピッチで多数設けてあるものがあり、このようなリブが挿通孔の内周縁に擦れた場合には、上記の不具合がより顕著な現象となって現れる。
【０００５】
一方、このような綴じ足係止部を綴じ片に固定する手段として、通常はリベット等を用いるのが一般的である。しかしながら、リベットは一部をかしめることによってベースが綴じ片から外れないようにするものであるため、廃棄時には綴じ片を含むファイルの表紙体の一部を破断、破砕しなければ分別廃棄することができない点も問題となっている。
【０００６】
本発明は、このような課題に着目してなされたものであって、使い勝手に優れ、耐久性も向上し、分別廃棄も適切に行い得るようにしたファイルを提供することを目的としている。
【０００７】
【課題を解決するための手段】
本発明は、かかる目的を達成するために、次のような手段を講じたものである。
【０００８】
すなわち、本発明のファイルは、紙葉類をその間に綴じ込むための一対の綴じ片と、基端が何れか一方の綴じ片に支持され先端側が他方の綴じ片に設けた挿通部に挿し通される綴じ足と、前記他方の綴じ片に付帯して設けられ綴じ足の先端側をその一部に挿し通して当該綴じ足を折り曲げた状態に係止する綴じ足係止部とを具備してなるものにおいて、前記綴じ足係止部を、前記他方の綴じ片に固定され一部に綴じ足を挿し通すための綴じ足引出し開口を形成したベースと、このベースにスライド可能に付帯して前記綴じ足引出し開口を開閉するスライダとから構成するとともに、前記ベースの綴じ足引出し開口の開口縁となるべき部位を当該ベースの綴じ片に対する添接面よりも突出した突出部とし、この突出部を他方の綴じ片の挿通部内に進入させた状態で当該ベースを綴じ片に固定していることを特徴とする。
【０００９】
ここで、「紙葉類」とは、紙だけではなく、クリアーファイル等を含む概念である。また、挿通部には、周囲が閉じた孔状のものに限らず、一部が開放された切欠状のもの等も含まれる。
【００１０】
このように構成すれば、紙葉類を綴じるべく、一方の綴じ片の上に綴じ足に挿し通した状態で紙葉類をセットし、しかる後、この紙葉類を通過した綴じ足を折り曲げてその先端を他方の綴じ片の挿通部に挿し通すにあたり、綴じ足を綴じ片の挿通部に対して斜め方向（綴じ片の法線方向に対してある角度を持った方向）から当該挿通部に挿通するようにしても、挿通部の内部には突出部が進入しており、この突出部の内側に綴じ足引出し開口が存在するため、綴じ足が挿通部の内周に擦れる前に、その先端を綴じ足引出し開口に挿し通すことが容易になる。このため、綴じ足が挿通部の内周に擦れて通りにくくなり、使い勝手が悪くなるという不具合や、ファイルの早期損傷や早期破損を招くという不具合を有効に解消することができる。
【００１１】
特に、綴じ足引出し開口の入口付近における好ましい実施の態様としては、綴じ足引出し開口の入口に綴じ片の法線方向に対して角度をなす斜面を形成しているもの、綴じ足引出し開口の内周が入口から内部に向かって漸次開口面積を小さくする形状をなしているもの、綴じ足引出し開口の内周が入口から内部に向かって滑らかに湾曲する形状をなしているもの等が挙げられる。
【００１２】
これらの構成によれば、入口が広いために綴じ足を入れやすく、内部が絞られているため適切な位置に綴じ足の先端を導く作用が奏される。
【００１３】
また、綴じ足引出し開口の出口付近における好ましい実施の態様としては、綴じ足引出し開口の出口に綴じ片の法線方向に対して角度をなす斜面を形成しているもの、綴じ足引出し開口の内周が内部から出口に向かって漸次開口面積を大きくする形状をなしているもの、綴じ足引出し開口の内周が内部から出口に向かって滑らかに湾曲する形状をなしているもの等が挙げられる。
【００１４】
これらの構成によれば、出口においてスライダによって綴じ足を折り曲げる際に綴じ足が折り曲げ易くなるので、使い勝手を有効に向上させることができる。
【００１５】
特に、突出部が挿通部を貫通して綴じ片の背面に突出しているものであれば、挿通部の内周が突出部に覆われて確実にガードされるので、上記の効果を実効あるものにすることができる。
【００１６】
一方、かかる突出部の存在を考慮に入れて、綴じ足係止部を、固定状態が確実であって且つ廃棄時に表紙体から外しやすいものにするためには、ベースの添接面に係合爪を突出して設けるとともに、他方の綴じ片の対応部位に係合孔を設け、係合爪を係合孔に挿入するとともに添接面を綴じ片に添接させた状態から、ベースを綴じ片に対してスライドさせることによって、突出部を綴じ足引出し開口に進入させ、同時に係合爪を綴じ片の背面の所定箇所に設けた凹部に係合させるようにしているものが挙げられる。
【００１７】
このようにすれば、係合爪を凹部から引き離す操作力と、突出部を綴じ足引出し開口から離脱させる操作力とを同時に加えない限り、ベースは係合時とは逆方向へスライドし得ないものとなる。このため、固定状態を確実なものにすることができ、分別廃棄等が必要な時には上記の操作力を加えることによって、例えばリベット止め等に比べて遥かに容易に綴じ足係止部を綴じ片から分離させることが可能となる。
【００１８】
特に、係合爪を一対に設け、これらを、綴じ片の各対応位置にそれぞれ設けた凹部に係合させるようにしたものにおいては、これらの係合位置を、突出部と綴じ足引出し開口との係わり合い位置の両側に設定していることが望ましい。ベースの何れか一端側が浮き上がることを防止できるからである。
【００１９】
具体的な係合爪の形態としては、係合時のスライド方向とは逆方向のスライド操作力が加えられた際に、一方の係合爪は凹部に係合した状態を維持し、他方の係合爪は凹部から離脱する動作を惹起するように構成されているものが挙げられる。
【００２０】
以上において、綴じ足係止部は、その全体が樹脂により構成されているものが好適である。
【００２１】
【発明の実施の形態】
以下、本発明の実施形態について、図面を参照して説明する。
【００２２】
この実施形態のファイルは、図１及び図２に示すように、表表紙１１、裏表紙１２及び背表紙１３からなる紙製の表紙体１と、紙葉類Ｐをその間に綴じ込むために前記表紙体１に設けた一対の綴じ片２と、基端３１が一方の綴じ片２に支持され先端側３２が他方の綴じ片２に挿し通される一対の綴じ足３と、この綴じ足３の先端側３２をその一部に挿し通して当該綴じ足３を折り曲げた状態に係止する綴じ足係止部４とを具備してなる。
【００２３】
一方の綴じ片２は、表紙体１を構成する裏表紙１２の綴じ元側の縁部内面より内側に折り込んだ位置に形成され、他方の綴じ片２は、表紙体１を構成する表表紙１１の綴じ元側の縁部内面より内側に折り込んだ位置に形成されている。この実施形態では、表表紙１１を綴じ元側に開口１１a を有するものとするとともに他の３辺が閉じられた袋状をなすものにし、裏表紙１２は前記綴じ片２に引き続き綴じ元側の縁部に連続する位置に前記表表紙１１の開口１１a内に挿入可能であって挿入方向と直交する方向に複数の襞を有した延出部２１を形成している。両綴じ片２は、裏表紙１２の延出部２１を表表紙１１の開口１１a内に挿入した状態で、その挿入量に応じてその間に所要量の紙葉類Ｐを挟み込める距離を保って対面配置されるものであり、表表紙１１と裏表紙１２の間に表出する延出部２１が背表紙１３としての役割を果たす。そして、各々の長手方向へ離間した対応２箇所に綴じ足３を挿通するための挿通部たる挿通孔２２を設けている。
【００２４】
綴じ足３は、樹脂等により成形されたもので、長手方向に沿って所定ピッチで線状のリブ３３を有している。そして、裏表紙１２の綴じ片２に設けた挿通孔２２ｘにこの綴じ足３を先端側３２から挿通して、前記挿通孔２２ｘよりも拡開した基端部３１側を綴じ片２の他の部位に係わり合わせて保持するようにしている。
【００２５】
綴じ足係止部４は、図３に分解斜視図、図４に平面図、図５に側面図を示すように、開放摘み５１及び閉止摘み５２を有する一対のスライダ５と、両スライダ５をスライド可能かつ脱落し得ないように取り付けるベース６を具備し、ベース６を表表紙１１の綴じ片２に当てがって固定するようにしている。
【００２６】
ベース６は、長手方向両端近傍において巾方向両縁にレール部６１を形成した基部領域６ｘと、両基部領域６ｘの中間位置にあってスライダ５の開放摘み５１及び閉止摘み５２が配置される操作領域６ｙとからなる板状のものである。
【００２７】
スライダ５は、開放摘み５１と閉止摘み５２の間を連結板５３で連結したもので、連結板５３に対してこれらの摘み５１、５２は肉厚方向へ突出させて一体的に設けてある。両摘み５１、５２はベース６の基部領域６ｘよりも若干幅広で、開放摘み５１はベース６の基部領域６ｘを両側から抱きかかえるようにしてそのレール部６１に係わり合う係合爪５１aを有し、閉止摘み５２は相手方の連結板５３を片側から抱きかかえるようにしてその外側の縁部５４に係わり合う係合爪５２aを有している。そして、両スライダ５を、その連結板５３の内縁同士が密接に擦れ合うように（すなわち、操作領域が見掛け上基部領域に略同巾で連続するように）隣接させて、各摘み５１、５２を対応するレール部６１及び縁部５４に係わり合わせ、長手方向に相対移動可能かつ分離し得ないように組み付けている。このようにして、両スライダ５は、両開放摘み５１を相寄る方向に引き寄せて各々が相手方の閉止摘み５２に衝き当たるか若しくは近接する位置にまで離反方向へ相対移動させた図６（ａ）の開放状態と、両閉止摘み５２を相寄る方向に引き寄せて互いが衝き当たるか若しくは近接する位置にまで重合方向へ相対移動させた図６（ｂ）の閉止状態とを選択的にとり得るものである。そして、各々のベース６の基部領域６ｘにおいて、前記開放摘み５１によって開閉される位置に綴じ足引出し開口６２を設け、この開口６２より綴じ片２側に挿し通した綴じ足３を引き出した際に、閉止状態でスライダ５の開放摘み５１と綴じ足引出し開口６２の開口縁６２aとによって綴じ足３を折り曲げて係止し、開放状態でスライダ５の開放摘み５１を綴じ足引出し開口６２から退避させて綴じ足３を開放し得るようにしている。図中符号６４で示すものは綴じ足収納凹溝である。
【００２８】
このように構成される本実施形態の綴じ足係止部４は、図７〜図９に示すように、前記ベース６の綴じ足引出し開口６２の開口縁となるべき部位を当該ベース６の綴じ片２に対する添接面６０よりも突出させて、この部位を突出部６２ｘとして設定し、この突出部６２ｘを表表紙１１側の綴じ片２の挿通孔２２内に進入させた状態で当該ベース６を綴じ片２に固定している。
【００２９】
この突出部６２ｘは、ベース６と共に樹脂一体成形されたもので、前記綴じ片２の挿通孔２２の内周に密接に嵌り合う外形を有した平面視矩形状をなすものであり、内側に開口する綴じ足引出し開口６２は、入口ＩＮの開口及び出口ＯＵＴの開口が広く、内部ＩＮＴの開口面積が狭まっていて、入口ＩＮから内部ＩＮＴに向かって、また出口ＯＵＴから内部ＩＮＴに向かって緩やかに湾曲している。具体的には、ベース６を幅方向中央で破断した図９の断面において、綴じ足引出し開口６２の内周に沿ったその接線Ｌが、綴じ片２の法線方向（図９中Ｘ方向）に対して最も傾斜した入口ＩＮから徐々にその傾斜を小さくしてゆき、内部（特に中央部）ＩＮＴで法線方向と平行をなした後、出口ＯＵＴに向かって徐々に逆方向に傾斜して、出口ＯＵＴで再び最大傾斜となるように、内周が部分円弧状のものに成形してある。
【００３０】
この突出部６２ｘは、挿通孔２２を貫通して綴じ片２の背面側に距離ｄだけ若干突出するように、綴じ片２の肉厚との間に寸法調整がされている。
【００３１】
また、このベース６を固定するにあたり、ベース６の添接面６０の長手方向へ離間した２箇所に係合爪６５，６６を突出して設けるとともに、表表紙１１側の綴じ片２の対応部位にそれぞれ係合孔２５，２６を設けており、各係合爪６５、６６を係合孔２５，２６に挿入し、添接面６０を綴じ片２に添接させた後、ベース６を綴じ片２に対しスライドさせることによって、突出部６２ｘを綴じ足引出し開口２２に落とし込み、このとき同時に各係合爪６５，６６の先端に設けた突起６５ａ、６６ａを綴じ片２の背面の所定箇所に設けた凹部２５ａ、２６ａに係合させるようにしている。
【００３２】
なお、係合爪６５と凹部２５との係わり合いの位置、及び、係合爪６６と凹部２６との係わり合いの位置は、それぞれ一対の突出部６２ｘと綴じ足引出し開口２２との係わり合い部分を挟んで両側位置にあるように設定されている。
【００３３】
また、係合時のスライド方向に向かって、後方の係合爪６６の突起６６ａは鉤形に屈曲しているのに対して、前方の係合爪６５の突起６５ａは丸みを付してありあり、係合時のスライド方向とは逆方向のスライド操作力が加えられた場合、後方の係合爪６６の突起６６ａは凹部２６ａに引っ掛かって係合した状態を維持するのに対して、前方の係合爪６５の突起６５aは比較的抵抗なく凹部２５ａから離脱する動作を惹起するようにしてある。
【００３４】
このように構成したファイルを利用するには、まず、裏表紙１２側の綴じ片２に設けた挿通孔２２に綴じ足３が挿し通され、かつ裏表紙１２側の延出部２１を表表紙１１側の開口１１ａに挿入した状態で、図１に示すように綴じ足３に綴じ孔Ｐ１を重合させて所要の紙葉類Ｐを挿し通す。次いで、綴じ足３を図２のように折り曲げて、表表紙１１側の綴じ片２に設けた挿通孔２２及び綴じ足係止部４の綴じ足引出し開口６２に挿通する。その後、表表紙１１を同図中矢印Ｚで示すようにスライドさせて、綴じ片２が紙葉類Ｐに触れるまで延出部２１の開口１１aへの挿入深さ、すなわち背表紙１３の幅を調整する。そして、綴じ足係止部４の閉止摘み５２を指で摘んで相寄る方向に引き寄せる。この結果、綴じ足係止部４の開放摘み５２同士が離間し、綴じ足２が一方のスライダ５の開放摘み５１と他方のスライダ５の綴じ足引出し開口６２の縁部６２aとに挟まれて折り曲げられ、固定される。紙葉類Ｐの加除が必要になった場合は、上記と逆の操作を行えばよい。
【００３５】
このように構成される本実施形態のファイルにおいては、紙葉類Ｐの綴じ孔Ｐ１を通過した綴じ足３を折り曲げてその先端を表表紙１１側の綴じ片２の挿通孔２２に挿し通す際に、綴じ足３を綴じ片２の挿通孔２２に対して斜め方向（綴じ片２の法線方向に対してある角度を持った方向）から当該挿通孔２２に挿通するようにしても、挿通孔２２の内部には前述したように突出部６２ｘが進入しており、この突出部６２ｘの内側に綴じ足引出し開口６２が存在するため、綴じ足３が挿通孔２２の内周に擦れる前に、その先端を綴じ足引出し開口６２に挿し通すことが容易になる。このため、綴じ足３が挿通孔２２の内周に擦れて通りにくいために使い勝手が悪いといった従来の不具合や、ファイルの早期損傷や早期破損を招くといった従来の不具合を有効に解消することができる。
【００３６】
特に、綴じ足引出し開口６２の入口ＩＮ付近において、その入口ＩＮに綴じ片２の法線方向に対して角度をなす斜面を形成しており、その斜面に沿って綴じ足引出し開口２２の内周が入口ＩＮから内部ＩＮＴに向かって漸次開口面積が小さくなるようにしてある上に、その内周が入口ＩＮから内部ＩＮＴに向かって滑らかに湾曲するように成形してあるため、入口ＩＮが広く綴じ足３を入れるのが容易になるとともに、内部が絞られているため適切な位置にまで綴じ足３の先端を有効に誘導することが可能となる。
【００３７】
また、綴じ足引出し開口６２の出口ＯＵＴ付近において、その出口ＯＵＴに綴じ片２の法線方向に対して角度をなす斜面を形成しており、その斜面に沿って綴じ足引出し開口６２の内周が内部ＩＮＴから出口ＯＵＴに向かって漸次開口面積が大きくなるようにしてある上に、その内周が内部ＩＮＴから出口ＯＵＴに向かって滑らかに湾曲するように成形してあるため、出口ＯＵＴにおいてスライダ５によって綴じ足３を折り曲げる際に該綴じ足３の折り曲げ動作を折り曲げ方向（すなわちベース６の長手方向）に効果的にガイドすることができ、これにより綴じ込む際の操作を円滑なものにして、使い勝手を有効に向上させることができる。
【００３８】
本実施形態は、綴じ足引出し開口２２の周辺が突出部６２ｘの分だけ他のベース部分に比べて厚肉化しているため、このような内周形状を実現し易いものである。
【００３９】
特に、この実施形態では、突出部６２ｘが挿通孔２２を貫通して綴じ片２の背面に突出しており、挿通孔２２の内周が突出部６２ｘに覆われて確実にガードされているため、上記の効果をより実効あるものにすることができる。
【００４０】
一方、本実施形態は、かかる突出部６２ｘの存在を考慮に入れて、綴じ足係止部４を構成するベース６の添接面６０に係合爪６５，６６を突出して設けるとともに、これが取り付けられる綴じ片２の対応部位に係合孔２５，２６を設け、係合爪６５，６６を係合孔２５，２６に挿入するとともに添接面６０を綴じ片２に添接させ、しかる後ベース６を綴じ片２に対しスライドさせることによって、突出部６２ｘを綴じ足引出し開口２２に進入させ、同時に係合爪６５，６６の突起６５ａ、６６ａを綴じ片２の背面の所定箇所に設けた凹部２５ａ、２６ａに係合させるようにしているので、係合爪６５，６６の突起６５ａ、６６ａを凹部２５ａ、２６ａから引き離す操作力と、突出部６２ｘを綴じ足引出し開口２２から離脱させる操作力とを同時に加えない限り、ベース６は係合時と逆方向へ容易にスライドすることはない。したがって、固定状態を確実なものにすることができる上に、分別廃棄等が必要な時には上記の操作力を加えることによって、例えばリベット止め等の従来手法に比べて遥かに容易に綴じ足係止部４を綴じ片２から分離させることが可能となる。
【００４１】
特に、一対の係合爪６５，６６の係合孔２５，２６に対する係合位置を、突出部６２ｘと綴じ足引出し開口２２との係わり合い位置の両側に設定しているため、ベース６の何れの端部においても、綴じ片２からの浮き上がりを有効に抑止する効果が奏されることとなる。
【００４２】
さらに、係合爪６５，６６の突起６５ａ、６６ａは、前述した形状に基づいて、係合時のスライド方向と逆方向のスライド操作力が加えられた際に、後方の係合爪６６は凹部２６aに係合した状態を維持するのに対して、前方の係合爪６５は凹部２５から離脱する動作を惹起する性質を有する。このため、後方の係合爪６６を凹部２６aから指等で引き離し、突出部６２ｘを裏から指等で挿通孔２２より押し出した状態にして、ベース６に係合時とは逆方向のスライド操作力を加えれば、前方の係合爪６５は凹部２５aから比較的容易に離脱することができ、結果としてこの綴じ足係止部４を綴じ片２から分離させることが可能になる。したがって、このような具体的構造により、固定状態の確実性と分別廃棄時の利便性とを的確に担保しておくことができる。
【００４３】
以上、本発明の一実施形態について説明したが、各部の具体的な構成は、上述した実施形態のみに限定されるものではなく、本発明の趣旨を逸脱しない範囲で種々変形が可能である。
【００４４】
【発明の効果】
本発明のファイルは、以上に詳述した構成であるから、紙葉類の加除に伴う綴じ足の抜き差しがスムーズとなって使い勝手に優れ、長期にわたり使用しても綴じ片に開口する綴じ足引き出し開口が損傷等することを防止して耐久性を向上させることができ、綴じ足係止部と綴じ片との分離も容易として分別廃棄の便も有効に向上させることが可能となる。
【図面の簡単な説明】
【図１】本発明の一実施形態を一部分解して示す斜視図。
【図２】同実施形態を組立状態で示す斜視図。
【図３】同実施形態の綴じ足係止部を示す分解斜視図。
【図４】同平面図。
【図５】同側面図。
【図６】図４に対応した作用説明図。
【図７】同実施形態の綴じ足係止部と綴じ片との関係を拡大して示す分解斜視図。
【図８】同組付斜視図。
【図９】図８の部分拡大断面図。
【符号の説明】
Ｐ…紙葉類
２…綴じ片
３…綴じ足
４…綴じ足係止部
５…スライダ
６…ベース
２２…挿通孔
２５，２６…係合孔
２５ａ、２６ａ…凹部
６０…添接面
６２…綴じ足引出し開口
６２ｘ…突出部
６５，６６…係合爪
【図１】
0004064718.tif 000002
【図２】
0004064718.tif 000003
【図３】
0004064718.tif 000004
【図４】
0004064718.tif 000005
【図５】
0004064718.tif 000006
【図６】
0004064718.tif 000007
【図７】
0004064718.tif 000008
【図８】
0004064718.tif 000009
【図９】
0004064718.tif 000010